(57)【要約】【課題】安価な設備であり、しかも全てのバンクを効率よく洗浄できる水処理システムおよびその洗浄方法の提供。【解決手段】逆浸透膜１４が収容されたベッセル１２を１つ以上備えた複数のバンク１３が直列に配置された水処理システム１０であって、任意のバンク１３に洗浄液を供給し、そのバンク１３から排出された洗浄液をそのバンク１３へ返送させ、洗浄液を循環させる循環流路２０と、第三バンク１３ｃの第三バンク循環流路２０ｃから水を排出する排出調整機構４３とを具備し、前記循環流路２０は２つ以上であり、かつ全てのバンク１３が洗浄されるようになっている水処理システム１０、および前記循環流路２０に洗浄液を流してバンク１３を洗浄する洗浄工程を有し、異なる循環流路２０に洗浄液を流すことによって全てのバンク１３を洗浄する、前記水処理システム１０の洗浄方法。【選択図】図１
2016221466.tif 000002
【特許請求の範囲】
【請求項１】
逆浸透膜が収容されたベッセルを１つ以上備えた複数のバンクが直列に配置された水処理システムであって、
任意のバンクに洗浄液を供給し、そのバンクから排出された洗浄液をそのバンクへ返送させ、洗浄液を循環させる循環流路と、
最下流に位置するバンクの循環流路から水を排出する排出調整機構と、
を具備し、
前記循環流路は２つ以上であり、かつ全てのバンクが洗浄されるようになっている、水処理システム。
【請求項２】
前記複数のバンクのうち、入口流量が最少濃縮水量を満たさないバンクの循環流路に、ｐＨ測定手段が設けられている、請求項１に記載の水処理システム。
【請求項３】
入口流量が最少濃縮水量を満たさないバンクの循環流路は、そのバンクから排出される濃縮水の一部をそのバンクへ返送させるための耐圧配管からなり、残りのバンクの循環流路は低圧配管からなる、請求項２に記載の水処理システム。
【請求項４】
各循環流路に、滅菌液を供給する滅菌液供給手段が設けられている、請求項１〜３のいずれか一項に記載の水処理システム。
【請求項５】
逆浸透膜が収容されたベッセルを１つ以上備えた複数のバンクが直列に配置された水処理システムの洗浄方法であって、
任意のバンクに洗浄液を供給し、そのバンクから排出された洗浄液をそのバンクへ返送させ、洗浄液を循環させる循環流路に洗浄液を流してバンクを洗浄する洗浄工程を有し、
異なる循環流路に洗浄液を流すことによって全てのバンクを洗浄する、水処理システムの洗浄方法。
【請求項６】
各バンクに供給される洗浄液に薬液を供給し、薬液を供給された洗浄液のｐＨを監視する、請求項５に記載の水処理システムの洗浄方法。
【請求項７】
各バンクの洗浄が終了した後に、各バンクに滅菌液を供給して各バンクを滅菌する滅菌工程をさらに有する、請求項５または６に記載の水処理システムの洗浄方法。
【発明の詳細な説明】
【技術分野】
【０００１】
本発明は、水処理システムおよびその洗浄方法に関する。
【背景技術】
【０００２】
従来、逆浸透膜（ＲＯ膜）やナノろ過膜（ＮＦ膜）等を使用したろ過装置が実用化されている。このようなろ過装置としては、例えばＲＯ膜やＮＦ膜等が収容されたベッセルを１つ以上備えた複数のバンク（膜モジュールユニット）が直列に配置された水処理システムが知られている。
このような水処理システムは、水処理を継続しているうちにＲＯ膜等の膜面や膜の細孔に不純物（汚染物質）が付着し、処理能力が低下してしまう。
【０００３】
そこで、ＲＯ膜等の洗浄方法として、最上流に位置するバンク（第一バンク）から順に洗浄液を通過させて洗浄していき、最下流に位置するバンク（第三バンク）の洗浄が終了した後に、洗浄液を第一バンクに返送させて洗浄液を循環させ、再度第一バンクから順に洗浄を行う方法が公知技術として知られている。
また、複数のバンクのうち、任意のバンクを稼働させて水処理を行いつつ、残りのバンクを洗浄する方法が知られている（例えば特許文献１参照）。
【先行技術文献】
【特許文献】
【０００４】
【特許文献１】特開２００７−７８８号公報
【発明の概要】
【発明が解決しようとする課題】
【０００５】
しかしながら、バンク毎にＲＯ膜等の汚染状態は異なるため、上述した公知技術のように、全てのバンクを連続して一度に洗浄する方法では効率よく全てのバンクを洗浄できない。
また、特許文献１に記載のように、任意のバンクを稼働させて水処理を行いつつ、残りのバンクを洗浄する方法の場合、全てのバンクを洗浄するためには、洗浄ラインにも逆浸透膜処理に耐えうる耐圧性が必要となる。そのため、洗浄ラインにもＳＵＳ等の耐圧配管を用いるため、加工がしにくく、しかも耐圧配管は高価であることから装置自体にコストがかかってしまう。
【０００６】
本発明は上記事情に鑑みてなされたもので、安価な設備であり、しかも全てのバンクを効率よく洗浄できる水処理システムおよびその洗浄方法を提供することを課題とする。
【課題を解決するための手段】
【０００７】
本発明は以下の態様を有する。
［１］  逆浸透膜が収容されたベッセルを１つ以上備えた複数のバンクが直列に配置された水処理システムであって、任意のバンクに洗浄液を供給し、そのバンクから排出された洗浄液をそのバンクへ返送させ、洗浄液を循環させる循環流路と、最下流に位置するバンクの循環流路から水を排出する排出調整機構と、を具備し、前記循環流路は２つ以上であり、かつ全てのバンクが洗浄されるようになっている、水処理システム。
［２］  前記複数のバンクのうち、入口流量が最少濃縮水量を満たさないバンクの循環流路に、ｐＨ測定手段が設けられている、［１］に記載の水処理システム。
［３］  入口流量が最少濃縮水量を満たさないバンクの循環流路は、そのバンクから排出される濃縮水の一部をそのバンクへ返送させるための耐圧配管からなり、残りのバンクの循環流路は低圧配管からなる、［２］に記載の水処理システム。
［４］  各循環流路に、滅菌液を供給する滅菌液供給手段が設けられている、［１］〜［３］のいずれか１つに記載の水処理システム。
【０００８】
［５］  逆浸透膜が収容されたベッセルを１つ以上備えた複数のバンクが直列に配置された水処理システムの洗浄方法であって、任意のバンクに洗浄液を供給し、そのバンクから排出された洗浄液をそのバンクへ返送させ、洗浄液を循環させる循環流路に洗浄液を流してバンクを洗浄する洗浄工程を有し、異なる循環流路に洗浄液を流すことによって全てのバンクを洗浄する、水処理システムの洗浄方法。
［６］  各バンクに供給される洗浄液に薬液を供給し、薬液を供給された洗浄液のｐＨを監視する、［５］に記載の水処理システムの洗浄方法。
［７］  各バンクの洗浄が終了した後に、各バンクに滅菌液を供給して各バンクを滅菌する滅菌工程をさらに有する、［５］または［６］に記載の水処理システムの洗浄方法。
【発明の効果】
【０００９】
本発明によれば、安価な設備であり、しかも全てのバンクを効率よく洗浄できる水処理システムおよびその洗浄方法を提供できる。
【図面の簡単な説明】
【００１０】
【図１】本発明の水処理システムの一実施形態を示す概略図である。
【図２】図１に示す水処理システムによる水処理時の水の流れを説明する概略図である。
【図３】各バンクの洗浄工程を説明する概略図であり、（ａ）は洗浄液が第三バンク循環流路を循環している状態を示す図であり、（ｂ）は洗浄液が第二バンク循環流路を循環している状態を示す図であり、（ｃ）は洗浄液が第一バンク循環流路を循環している状態を示す図である。
【図４】滅菌工程を説明する概略図であり、（ａ）は第一バンク滅菌工程を説明する図であり、（ｂ）は第二バンク滅菌工程を説明する図であり、（ｃ）は第三バンク滅菌工程を説明する図である。
【図５】図１に示す水処理システムの洗浄方法の他の実施形態を説明する概略図であり、（ａ）は第三バンクの洗浄を説明する図であり、（ｂ）は第二バンクおよび第三バンクの洗浄を説明する図であり、（ｃ）は第一バンク、第二バンクおよび第三バンクの洗浄を説明する図である。
【図６】水処理システムの他の実施形態を示す概略図である。
【図７】比較例１における水処理システムの洗浄方法を説明する概略図である。
【発明を実施するための形態】
【００１１】
以下、図面を参照して本発明を詳しく説明する。
なお、以下の図面においては、各部材を認識可能な大きさとするため、各部材の縮尺を適宜変更している。
また、図２〜７において、図１と同じ構成要素には同じ符号を付して、その説明を省略する。
【００１２】
「水処理システム」
図１は、本発明の水処理システムの一実施形態を示す概略図である。
この例の水処理システム１０は、加圧ポンプ１１の下流に、ベッセル１２を１つ以上備えた複数のバンク１３が直列に配置されている。また、この例の水処理システム１０は、以下に説明する循環流路２０を３つと、排出調整機構４３とを具備している。
以下、複数のバンク１３のうち、最上流（加圧ポンプ１１側）に位置するバンク１３を第一バンク１３ａといい、最下流に位置するバンク１３を第三バンク１３ｃといい、第一バンク１３ａと第三バンク１３ｃとの間に位置するバンク１３を第二バンク１３ｂという。
【００１３】
図示例では、第一バンク１３ａは、逆浸透膜（ＲＯ膜）１４が直列に２本収容されたベッセル１２を３つ備えている。
第二バンク１３ｂは、ＲＯ膜１４が直列に２本収容されたベッセル１２を２つ備えている。
第三バンク１３ｃは、ＲＯ膜１４が直列に２本収容されたベッセル１２を１つ備えている。
第一バンク１３ａおよび第二バンク１３ｂにおいて、各ベッセル１２は並列に配置されている。
【００１４】
加圧ポンプ１１と第一バンク１３ａの各ベッセル１２とは、供給水流路１５で連結している。
第一バンク１３ａの各ベッセル１２と第二バンク１３ｂの各ベッセル１２とは、第一の濃縮水流路１６で連結している。
第二バンク１３ｂの各ベッセル１２と第三バンク１３ｃのベッセル１２とは、第二の濃縮水流路１７で連結している。
また、第三バンク１３ｃのベッセル１２の出口には、第三の濃縮水流路１８が接続されている。
また、各バンク１３の各ベッセル１２には、それぞれ透過水流路１９が接続されている。
【００１５】
供給水流路１５は、一端が加圧ポンプ１１に接続され、供給水流路１５の途中（分岐点１５ａ）から３本に枝分かれし、枝分かれした各供給水流路１５の他端がそれぞれ第一バンク１３ａの各ベッセル１２の入口に接続されている。
第一の濃縮水流路１６は、以下の通りである。すなわち、一端が第一バンク１３ａの各ベッセル１２の出口に接続された３本の第一の濃縮水流路１６が途中（合流点１６ｂ）で合流して一本の第一の濃縮水流路１６となり、その途中（分岐点１６ａ）にて再び２本に枝分かれし、枝分かれした各第一の濃縮水流路１６の他端がそれぞれ第二バンク１３ｂの各ベッセル１２の入口に接続されている。
第二の濃縮水流路１７は、以下の通りである。すなわち、一端が第二バンク１３ｂの各ベッセル１２の出口に接続された２本の第二の濃縮水流路１７が途中（合流点１７ｂ）で合流して一本の第二の濃縮水流路１７となり、その他端が第三バンク１３ｃのベッセル１２の入口に接続されている。
第三の濃縮水流路１８は、一端が第三バンク１３ｃのベッセル１２の出口に接続され、他端が切換弁３３を介して後述する主配管３２と排出調整機構４３とに接続されている。
【００１６】
供給水流路１５、第一の濃縮水流路１６、第二の濃縮水流路１７、第三の濃縮水流路１８、および透過水流路１９はいずれも耐圧配管からなる。耐圧配管としては、例えばＳＵＳ製の配管などが挙げられる。
【００１７】
循環流路２０は、任意のバンク（すなわち、該循環流路２０が設けられたバンク）１３に洗浄液を供給し、そのバンク１３から排出された洗浄液をそのバンク１３へ返送させ、洗浄液（水など）を循環させる流路である。
この例の水処理システム１０は、各バンク１３に循環流路２０が設けられている。
以下、第一バンク１３ａの循環流路２０を第一バンク循環流路２０ａといい、第二バンク１３ｂの循環流路２０を第二バンク循環流路２０ｂといい、第三バンク１３ｃの循環流路２０を第三バンク循環流路２０ｃという。
【００１８】
第一バンク循環流路２０ａは、主配管２１と第一の共通配管２２とからなる。
主配管２１と第一の共通配管２２とは、それぞれの一端が切換弁２３を介して接続されている。また、主配管２１の他端は、切換弁２４を介して供給水流路１５の分岐点１５ａと加圧ポンプ１１との間にて供給水流路１５に合流している。第一の共通配管２２の他端は、切換弁２５を介して第一の濃縮水流路１６の合流点１６ｂと分岐点１６ａとの間にて第一の濃縮水流路１６に合流している。
また、主配管２１にはポンプ２６が取り付けられている。
切換弁２３、２４、２５は、それぞれ三方弁である。
【００１９】
第二バンク循環流路２０ｂは、第一の共通配管２２と主配管２７と第二の共通配管２８とからなる。すなわち、第二バンク循環流路２０ｂと第一バンク循環流路２０ａは、第一の共通配管２２を共有している。
第一の共通配管２２と主配管２７とは、それぞれの一端が切換弁２３を介して接続されている。また、主配管２７の他端と第二の共通配管２８の一端が切換弁２９を介して接続されている。また、第二の共通配管２８の他端は、切換弁３０を介して第二の濃縮水流路１７の合流点１７ｂと第三バンク１３ｃのベッセル１２の入口との間にて第二の濃縮水流路１７に合流している。
また、第一の共通配管２２には、ポンプ３１が取り付けられている。
切換弁２９、３０は、それぞれ三方弁である。
【００２０】
第三バンク循環流路２０ｃは、第二の共通配管２８と主配管３２と第三の濃縮水流路１８とからなる。すなわち、第三バンク循環流路２０ｃと第二バンク循環流路２０ｂは、第二の共通配管２８を共有している。
第二の共通配管２８と主配管３２とは、それぞれの一端が切換弁２９を介して接続されている。また、主配管３２の他端と第三の濃縮水流路１８の他端が切換弁３３を介して接続されている。
また、第二の共通配管２８には、ポンプ３４が取り付けられている。
切換弁３３は、三方弁である。
【００２１】
主配管２１、第一の共通配管２２、主配管２７、第二の共通配管２８、および主配管３２は、それぞれ低圧配管からなることが好ましい。低圧配管としては、例えば塩化ビニル樹脂製の配管、ポリエチレン樹脂製の配管などが挙げられる。
【００２２】
ところで、ＲＯ膜は流路孔径に比例した最適の濃縮水量が規定されている。例えば流路孔径が１６インチのＲＯ膜の場合、最大供給水量は８００Ｌ／ｍｉｎであり、最少濃縮水量は１６０Ｌ／ｍｉｎである。同様に、流路孔径が８インチのＲＯ膜では最大供給水量は２００Ｌ／ｍｉｎ、最少濃縮水量は４０Ｌ／ｍｉｎであり、流路孔径が４インチのＲＯ膜では最大供給水量は５０Ｌ／ｍｉｎ、最少濃縮水量は１０Ｌ／ｍｉｎであり、流路孔径が２インチのＲＯ膜では最大供給水量は１２．５Ｌ／ｍｉｎ、最少濃縮水量は２．５Ｌ／ｍｉｎである。
各バンク１３のうち、入口流量が最少濃縮水量を満たさないバンクがある場合は、そのバンクの循環流路を構成する配管は耐圧配管からなることが好ましい。こうすることによって、詳しくは後述するが、入口流量が最少濃縮水量を満たさないバンクに備わるＲＯ膜１４の洗浄に用いられる循環流路を、水処理する際に当該バンクから排出された濃縮水の一部を当該バンクの入口へ返送することにも利用でき、当該バンクの入口流量が最少濃縮水量を満たすように調節できる。
【００２３】
例えば、第三バンク１３ｃが、入口流量が最少濃縮水量を満たさないバンクである場合、主配管３２および第二の共通配管２８は、それぞれ耐圧配管からなることが好ましい。なお、ここでいう耐圧配管とは、第三バンク１３ｃから排出される濃縮水の一部を第三バンク１３ｃへ返送させるのに耐えうる配管のことであり、具体的にはＳＵＳ製の配管などが挙げられる。
また、第二バンク１３ｂが、入口流量が最少濃縮水量を満たさないバンクである場合は、第一の共通配管２２と、主配管２７と、第二の共通配管２８とが、第二バンク１３ｂから排出される濃縮水の一部を第二バンク１３ｂへ返送させるのに耐えうる耐圧配管であることが好ましい。
図示例においては、第三バンク１３ｃを入口流量が最少濃縮水量を満たさないバンクとし、第二バンク１３ｂを入口流量が最少濃縮水量を満たすバンクする。
【００２４】
この例の第三バンク循環流路２０ｃには、ｐＨ測定手段３５および薬液供給手段３６が設けられている。
ｐＨ測定手段３５は、第三バンク循環流路２０ｃ内を流れる洗浄液のｐＨを測定するものである。
ｐＨ測定手段３５は、切換弁３７を介して第三の濃縮水流路１８から分岐して、切換弁３８を介して第三の濃縮水流路１８へ再び合流する低圧配管３５ａと、低圧配管３５ａに取り付けられたｐＨ計３５ｂとを備える。
切換弁３７、３８は三方弁である。
【００２５】
薬液供給手段３６は、循環流路２０内を流れる洗浄液に薬液を添加するものである。
薬液供給手段３６は、薬液を貯留する薬液タンク３６ａと、薬液流路３６ｂと、バルブ３６ｃとを備える。薬液流路３６ｂは、一端が薬液タンク３６ａに接続され、他端が循環流路２０に合流している。
薬液流路３６ｂは、低圧配管からなることが好ましい。
薬液としては、酸（例えば塩酸、硫酸、硝酸、リン酸、クエン酸等）、アルカリ（例えば水酸化ナトリウム等）、その他（リン酸塩、ＥＤＴＡ）などが挙げられ、系内の汚染状況に応じて選択できる。
【００２６】
また、この例の第一バンク循環流路２０ａおよび第二バンク循環流路２０ｂにも、薬液供給手段３６が設けられている。
さらに、第一の共通配管２２には、ｐＨ計３５ｂが取り付けられている。
【００２７】
また、この例の各循環流路２０には、滅菌液供給手段３９が設けられている。
滅菌液供給手段３９は、ＲＯ膜１４を滅菌処理するための滅菌液を循環流路２０に供給するものである。以下、第一バンク１３ａのＲＯ膜１４を滅菌処理するための滅菌液を第一バンク循環流路２０ａへ供給する滅菌液供給手段３９を、第一バンク循環流路２０ａに設けられた滅菌液供給手段３９Ａという。また、第二バンク１３ｂのＲＯ膜１４を滅菌処理するための滅菌液を第二バンク循環流路２０ｂへ供給する滅菌液供給手段３９を、第二バンク循環流路２０ｂに設けられた滅菌液供給手段３９Ｂという。また、第三バンク１３ｃのＲＯ膜１４を滅菌処理するための滅菌液を第三バンク循環流路２０ｃへ供給する滅菌液供給手段３９を、第三バンク循環流路２０ｃに設けられた滅菌液供給手段３９Ｃという。
【００２８】
滅菌液供給手段３９は、滅菌液タンク３９ａと、滅菌液流路３９ｂとを備える。滅菌液流路３９ｂは、一端が滅菌液タンク３９ａに接続され、他端が循環流路２０に合流している。具体的には、第一バンク循環流路２０ａに設けられた滅菌液供給手段３９Ａの滅菌液流路３９ｂの他端は、切換弁４０を介して主配管２１に合流している。第二バンク循環流路２０ｂに設けられた滅菌液供給手段３９Ｂの滅菌液流路３９ｂは、途中で一方の滅菌液流路３９ｂ１と他方の滅菌液流路３９ｂ２とに枝分かれしており、一方の滅菌液流路３９ｂ１の他端が切換弁２３を介して主配管２１、第一の共通配管２２、および主配管２７に合流している。第三バンク循環流路２０ｃに設けられた滅菌液供給手段３９Ｃの滅菌液流路３９ｂは、途中で一方の滅菌液流路３９ｂ１と他方の滅菌液流路３９ｂ２とに枝分かれしており、一方の滅菌液流路３９ｂ１の他端が切換弁２９を介して主配管２７、第二の共通配管２８、および主配管３２に合流している。なお、滅菌液流路３９ｂの枝分かれ部分には、三方弁からなる切換弁４１が取り付けられている。また、滅菌液供給手段３９Ｂの他方の滅菌液流路３９ｂ２が、切換弁４２を介して滅菌液供給手段３９Ｃの他方の滅菌液流路３９ｂ２に合流している。
滅菌液流路３９ｂは、低圧配管からなることが好ましい。
滅菌液としては、塩素を含む水などが挙げられる。残留塩素濃度については特に制限されないが、例えば全残留塩素濃度として０．１〜１．０ｍｇ／Ｌが好ましい。
【００２９】
排出調整機構４３は、第三バンク循環流路２０ｃから水（具体的には、第三バンク１３ｃから排出された濃縮水、各バンク１３から排出された洗浄液や滅菌液など）を排出するものである。
排出調整機構４３は、第一の低圧配管４３ａと、第二の低圧配管４３ｂと、第三の低圧配管４３ｃとからなる。
第一の低圧配管４３ａは、第三バンク１３ｃから排出された濃縮水や各バンク１３から排出された洗浄液を第三バンク循環流路２０ｃから排出するものであり、一端が切換弁３３を介して主配管３２および第三の濃縮水流路１８に接続され、さらに第二の低圧配管４３ｂの一端にも接続されている。また、第一の低圧配管４３ａには、バルブ４４が取り付けられている。
第二の低圧配管４３ｂは、循環流路２０へ洗浄液を供給するものであり、その一端が切換弁３３を介して主配管３２、第三の濃縮水流路１８、および第一の低圧配管４３ａに接続されている。
第三の低圧配管４３ｃは、各バンク１３から排出された滅菌液を第三バンク循環流路２０ｃから排出するものであり、その一端が切換弁４５を介して第二の低圧配管４３ｂに合流している。また、第三の低圧配管４３ｃには残留塩素計４６が取り付けられている。
また、第三バンク循環流路２０ｃに設けられた滅菌液供給手段３９Ｃの他方の滅菌液流路３９ｂ２が切換弁４７を介して第三の低圧配管４３ｃに合流している。
【００３０】
本実施形態の水処理システム１０を用いた水処理では、例えば図２に示すように、加圧ポンプ１１を作動させて地下水等の処理水を第一バンク１３ａの各ベッセルへ供給する。第一バンク１３ａの各ベッセルのＲＯ膜を透過した水（以下、透過した水を「透過水」という。）は、透過水流路１９を通って回収される。一方、ＲＯ膜を透過しなかった水（以下、透過しなかった水を「濃縮水」という。）は、第一の濃縮水流路１６を通って第二バンク１３ｂの各ベッセルへ供給される。第二バンク１３ｂの各ベッセルのＲＯ膜を透過した透過水は、透過水流路１９を通って回収される。一方、ＲＯ膜を透過しなかった濃縮水は、第二の濃縮水流路１７を通って第三バンク１３ｃのベッセルへ供給される。第三バンク１３ｃのベッセルのＲＯ膜を透過した透過水は、透過水流路１９を通って回収される。一方、ＲＯ膜を透過しなかった濃縮水は、第三の濃縮水流路１８を通過し、排出調整機構４３の第一の低圧配管４３ａへと排出される。このとき、バルブ４４は開の状態である。
【００３１】
水処理を行う際は、処理水が主配管２１に流れないように切換弁２４の弁の向きを設定し、第一バンク１３ａから排出された濃縮水が第一の共通配管２２に流れないように切換弁２５の弁の向きを設定する。また、第三バンク１３ｃから排出された濃縮水がｐＨ測定手段３５の低圧配管３５ａに流れないように切換弁３７、３８の弁の向きを設定する。
また、第三バンク１３ｃの入口流量が最少濃縮水量を満たしている場合は、第二バンク１３ｂから排出された濃縮水が第二の共通配管２８に流れないように切換弁３０の弁の向きを設定する。また、第三バンク１３ｃから排出された濃縮水が主配管３２に流れないように切換弁３３の弁の向きを設定する。
【００３２】
一方、第三バンク１３ｃの入口流量が最少濃縮水量を満たさなくなった場合は、第三バンク１３ｃから排出された濃縮水の一部が主配管３２に流れるように切換弁３３を切換える。また、主配管３２へ供給された濃縮水が第二の共通配管２８に流れ、主配管２７には流れないように切換弁２９の弁の向きを設定する。さらに、第二の共通配管２８へ供給された濃縮水が第二の濃縮水流路１７に合流するように切換弁３０を切換える。そして、ポンプ３４を作動させ、第三バンク１３ｃから排出された濃縮水の一部を主配管３２へと供給する。主配管３２へ供給された濃縮水は、第二の共通配管２８を通って、第二の濃縮水流路１７を流れる濃縮水と合流し、第三バンク１３ｃのベッセル１２へ供給される。
なお、図２は図１を簡略化したものであり、水処理システム１０に備わる部材の一部を省略した。また、図２は、第三バンク１３ｃから排出された濃縮水の一部が主配管３２に流れるように切換弁３３を切換えた状態を示している。
【００３３】
水処理を継続すると、ＲＯ膜の膜面や膜の細孔に不純物（汚染物質）が付着し、処理能力が低下してしまう。そこで、ＲＯ膜が汚れた場合には、例えば以下のようにして水処理システム１０を洗浄する。
【００３４】
加圧ポンプ１１を停止して、第三バンク１３ｃ、第二バンク１３ｂ、第一バンク１３ａの順に各バンクを洗浄する。以下、第三バンク１３ｃを洗浄する工程を「第三バンク洗浄工程」といい、第二バンク１３ｂを洗浄する工程を「第二バンク洗浄工程」といい、第一バンク１３ａを洗浄する工程を「第一バンク洗浄工程」という。
ここで、図３を用いて各洗浄工程の一例を説明する。なお、図３は図１を簡略化したものであり、水処理システム１０に備わる部材の一部を省略した。また、図３は、洗浄液が各循環流路２０を循環している状態を示している。
【００３５】
第三バンク洗浄工程
第三バンク洗浄工程は、第三バンク１３ｃに洗浄液を供給し、第三バンク１３ｃから排出された洗浄液を第三バンク１３ｃへ返送させ、洗浄液を循環させる第三バンク循環流路２０ｃに洗浄液を流して第三バンク１３ｃを洗浄する工程である。
第三バンク１３ｃに洗浄液を供給するためには、まず、洗浄液が排出調整機構４３の第二の低圧配管４３ｂから第三バンク循環流路２０ｃへ供給されるように切換弁４５を切換え、第一の低圧配管４３ａバルブ４４を閉じ、洗浄液が第三バンク循環流路２０ｃを循環するように切換弁３３、２９、３０を切換える。また、第三の濃縮水流路１８を流れる洗浄液がｐＨ測定手段３５の低圧配管３５ａを流れるように、切換弁３７、３８を切換えておく。そして、ポンプ３４を作動させて、排出調整機構４３の第二の低圧配管４３ｂから洗浄液を第三バンク循環流路２０ｃへと供給する。
【００３６】
第三バンク循環流路２０ｃへ洗浄液が十分に供給されたら、排出調整機構４３の第二の低圧配管４３ｂからの洗浄液の供給を停止し、図３（ａ）に示すように、第二の低圧配管４３ｂへ洗浄液が流れないように切換弁３３を切換える。第三バンク循環流路２０ｃへ供給された洗浄液は、主配管３２および第二の共通配管２８を通り、切換弁３０にて第二の濃縮水流路１７へと移動し、第三バンク１３ｃのベッセルの入口へ供給され、該ベッセルの出口から排出される。第三バンク１３ｃから排出された洗浄液は、第三の濃縮水流路１８の途中からｐＨ測定手段３５の低圧配管３５ａへと流れ、再び第三の濃縮水流路１８に戻った後、切換弁３３にて主配管３２へと移動し、第二の共通配管２８および第二の濃縮水流路１７を経て第三バンク１３ｃへと再び供給される。このように洗浄液の循環を数回繰り返す。
洗浄液の循環を数回繰り返したら、洗浄液が排出調整機構４３の第一の低圧配管４３ａへ流れるように、かつ主配管３２へ流れないように切換弁３３を切換える。また、第一の低圧配管４３ａのバルブ４４を開ける。そして、第三バンク循環流路２０ｃから洗浄液を排出する。
【００３７】
第三バンク１３ｃの洗浄が不十分の場合は、上述した操作を繰り返す。
第三バンク１３ｃを洗浄する際は、薬液供給手段３６から洗浄液に薬液を添加しつつ、ｐＨ測定手段３５を通過する洗浄液のｐＨをｐＨ計３５ｂにて測定して監視することが好ましい。ｐＨ測定手段３５を通過する洗浄液のｐＨが一定になれば、第三バンク１３ｃの洗浄が完了したと判断する。
【００３８】
第二バンク洗浄工程
第二バンク洗浄工程は、第二バンク１３ｂに洗浄液を供給し、第二バンク１３ｂから排出された洗浄液を第二バンク１３ｂへ返送させ、洗浄液を循環させる第二バンク循環流路２０ｂに洗浄液を流して第二バンク１３ｂを洗浄する工程である。
第二バンク１３ｂに洗浄液を供給するためには、まず、洗浄液が第二バンク循環流路２０ｂを循環するように切換弁２９、２３、２５、３０を切換える。そして、ポンプ３４を停止し、ポンプ３１を作動させて、排出調整機構４３の第二の低圧配管４３ｂから洗浄液を第三バンク循環流路２０ｃの主配管３２を介して第二バンク循環流路２０ｂへと供給する。
【００３９】
第二バンク循環流路２０ｂへ洗浄液が十分に供給されたら、排出調整機構４３の第二の低圧配管４３ｂからの洗浄液の供給を停止し、図３（ｂ）に示すように、洗浄液が第二の共通配管２８から主配管３２に流れないように切換弁２９を切換える。第二バンク循環流路２０ｂへ供給された洗浄液は、主配管２７および第一の共通配管２２を通り、切換弁２５にて第一の濃縮水流路１６へと移動し、第二バンク１３ｂの各ベッセルの入口へ供給され、該ベッセルの出口から排出される。第二バンク１３ｂから排出された洗浄液は、第二の共通配管２８を通過した後、切換弁２９にて主配管２７へと移動し、第一の共通配管２２および第一の濃縮水流路１６を経て第二バンク１３ｂへと再び供給される。このように洗浄液の循環を数回繰り返す。
洗浄液の循環を数回繰り返したら、洗浄液が第三バンク循環流路２０ｃの主配管３２および排出調整機構４３の第一の低圧配管４３ａへ流れるように、かつ主配管２７へ流れないように切換弁２９、３３をそれぞれ切換える。また、第一の低圧配管４３ａのバルブ４４を開ける。そして、第二の共通配管２８を通過した洗浄液を第三バンク循環流路２０ｃの主配管３２、排出調整機構４３の第一の低圧配管４３ａの順に流して、第二バンク循環流路２０ｂの洗浄液を第三バンク循環流路２０ｃの主配管３２を経て排出する。
【００４０】
第二バンク１３ｂの洗浄が不十分の場合は、上述した操作を繰り返す。
第二バンク１３ｂを洗浄する際は、薬液供給手段３６から洗浄液に薬液を添加しつつ、第一の共通配管２２を通過する洗浄液のｐＨをｐＨ計３５ｂにて測定して監視することが好ましい。第一の共通配管２２を通過する洗浄液のｐＨが一定になれば、第二バンク１３ｂの洗浄が完了したと判断する。
【００４１】
第一バンク洗浄工程
第一バンク洗浄工程は、第一バンク１３ａに洗浄液を供給し、第一バンク１３ａから排出された洗浄液を第一バンク１３ａへ返送させ、洗浄液を循環させる第一バンク循環流路２０ａに洗浄液を流して第一バンク１３ａを洗浄する工程である。
第一バンク１３ａに洗浄液を供給するためには、まず、洗浄液が第一バンク循環流路２０ａを循環するように切換弁２３、４０、２４、２５を切換える。そして、ポンプ３１を停止し、ポンプ２６を作動させて、排出調整機構４３の第二の低圧配管４３ｂから洗浄液を第三バンク循環流路２０ｃの主配管３２および第二バンク循環流路２０ｂの主配管２７を介して第一バンク循環流路２０ａへと供給する。
【００４２】
第一バンク循環流路２０ａへ洗浄液が十分に供給されたら、排出調整機構４３の第二の低圧配管４３ｂからの洗浄液の供給を停止し、図３（ｃ）に示すように、洗浄液が第一の共通配管２２から主配管２７に流れないように切換弁２３を切換える。第一バンク循環流路２０ａへ供給された洗浄液は、主配管２１を通り、切換弁２４にて供給水流路１５へと移動し、第一バンク１３ａの各ベッセルの入口へ供給され、該ベッセルの出口から排出される。第一バンク１３ａから排出された洗浄液は、第一の共通配管２２を通過した後、切換弁２３によって主配管２１へと移動し、供給水流路１５を経て第一バンク１３ａへと再び供給される。このように洗浄液の循環を数回繰り返す。
洗浄液の循環を数回繰り返したら、洗浄液が第二バンク循環流路２０ｂの主配管２７、第三バンク循環流路２０ｃの主配管３２および排出調整機構４３の第一の低圧配管４３ａへ流れるように、かつ主配管２１へ流れないように切換弁２３、２９、３３をそれぞれ切換える。また、第一の低圧配管４３ａのバルブ４４を開ける。そして、第一の共通配管２２を通過した洗浄液を第二バンク循環流路２０ｂの主配管２７、第三バンク循環流路２０ｃの主配管３２、排出調整機構４３の第一の低圧配管４３ａの順に流して、第一バンク循環流路２０ａの洗浄液を第三バンク循環流路２０ｃの主配管３２を経て排出する。
【００４３】
第一バンク１３ａの洗浄が不十分の場合は、上述した操作を繰り返す。
第一バンク１３ａを洗浄する際は、薬液供給手段３６から洗浄液に薬液を添加しつつ、第一の共通配管２２を通過する洗浄液のｐＨをｐＨ計３５ｂにて測定して監視することが好ましい。第一の共通配管２２を通過する洗浄液のｐＨが一定になれば、第一バンク１３ａの洗浄が完了したと判断する。
【００４４】
バイオファウリング抑制のための滅菌は、一定通水時間経過後に一定処理条件で実施されることが好ましく、各バンクに滅菌液を供給して各バンクを滅菌することが好ましい。
以下、第一バンク１３ａを滅菌する工程を「第一バンク滅菌工程」といい、第二バンク１３ｂを滅菌する工程を「第二バンク滅菌工程」といい、第三バンク１３ｃを滅菌する工程を「第三バンク滅菌工程」という。
ここで、図４を用いて各滅菌工程の一例を説明する。なお、図４は図１を簡略化したものであり、水処理システム１０に備わる部材の一部を省略した。
【００４５】
第一バンク滅菌工程
第一バンク滅菌工程は、第一バンク１３ａに滅菌液を供給して第一バンク１３ａを滅菌する工程である。
第一バンク１３ａに滅菌液を供給するためには、図４（ａ）に示すように、第一バンク循環流路２０ａに設けられた滅菌液供給手段３９Ａから滅菌液を第一バンク１３ａに供給する。具体的には、ポンプ２６を作動させて、滅菌液供給手段３９Ａの滅菌液流路３９ｂから滅菌液を第一バンク循環流路２０ａの主配管２１へ供給する。滅菌液は主配管２１を通り、切換弁２４にて供給水流路１５へと移動し、第一バンク１３ａの各ベッセルの入口へ供給され、該ベッセルの出口から排出される。第一バンク１３ａから排出された滅菌液は、第一の共通配管２２を通過した後、切換弁２３にて第二バンク循環流路２０ｂに設けられた滅菌液供給手段３９Ｂへと移動し、一方の滅菌液流路３９ｂ１および他方の滅菌液流路３９ｂ２へと順に導かれ、排出調整機構４３の第三の低圧配管４３ｃへと流れる。
なお、第一バンク滅菌工程において、滅菌液が図４（ａ）に示すように各流路等を流れるように、予め切換弁４０、２４、２５、２３、４１、４２、４７の弁の向きを設定しておく。
【００４６】
第一バンク１３ａを滅菌する際は、排出調整機構４３の第三の低圧配管４３ｃを通過する滅菌液中の塩素濃度（残留塩素濃度）を残留塩素計４６にて測定して監視することが好ましい。排出調整機構４３の第三の低圧配管４３ｃを通過する洗浄液から残留塩素濃度が検出されれば、第一バンク１３ａの滅菌が完了したと判断する。
【００４７】
第二バンク滅菌工程
第二バンク滅菌工程は、第二バンク１３ｂに滅菌液を供給して第二バンク１３ｂを滅菌する工程である。
第二バンク１３ｂに滅菌液を供給するためには、図４（ｂ）に示すように、第二バンク循環流路２０ｂに設けられた滅菌液供給手段３９Ｂから滅菌液を第二バンク１３ｂに供給する。具体的には、ポンプ３１を作動させて、滅菌液供給手段３９Ｂの滅菌液流路３９ｂ（一方の滅菌液流路３９ｂ１）から滅菌液を第二バンク循環流路２０ｂの第一の共通配管２２へ供給する。滅菌液は第一の共通配管２２を通り、切換弁２５にて第一の濃縮水流路１６へと移動し、第二バンク１３ｂの各ベッセルの入口へ供給され、該ベッセルの出口から排出される。第二バンク１３ｂから排出された滅菌液は、第二の共通配管２８を通過した後、切換弁２９にて第三バンク循環流路２０ｃに設けられた滅菌液供給手段３９Ｃへと移動し、一方の滅菌液流路３９ｂ１および他方の滅菌液流路３９ｂ２へと順に導かれ、排出調整機構４３の第三の低圧配管４３ｃへと流れる。
なお、第二バンク滅菌工程において、滅菌液が図４（ｂ）に示すように各流路等を流れるように、予め切換弁４１、２３、２５、３０、２９、４２、４７の弁の向きを設定しておく。
【００４８】
第二バンク１３ｂを滅菌する際は、排出調整機構４３の第三の低圧配管４３ｃを通過する滅菌液中の塩素濃度（残留塩素濃度）を残留塩素計４６にて測定して監視することが好ましい。排出調整機構４３の第三の低圧配管４３ｃを通過する洗浄液から残留塩素濃度が検出されれば、第二バンク１３ｂの滅菌が完了したと判断する。
【００４９】
第三バンク滅菌工程
第三バンク滅菌工程は、第三バンク１３ｃに滅菌液を供給して第三バンク１３ｃを滅菌する工程である。
第三バンク１３ｃに滅菌液を供給するためには、図４（ｃ）に示すように、第三バンク循環流路２０ｃに設けられた滅菌液供給手段３９Ｃから滅菌液を第三バンク１３ｃに供給する。具体的には、ポンプ３４を作動させて、滅菌液供給手段３９Ｃの滅菌液流路３９ｂ（一方の滅菌液流路３９ｂ１）から滅菌液を第三バンク循環流路２０ｃの第二の共通配管２８へ供給する。滅菌液は第二の共通配管２８を通り、切換弁３０にて第二の濃縮水流路１７へと移動し、第三バンク１３ｃのベッセル１２の入口へ供給され、該ベッセルの出口から排出される。第三バンク１３ｃから排出された滅菌液は、第三の濃縮水流路１８を通過した後、切換弁３３にて排出調整機構４３の第二の低圧配管４３ｂへと移動し、切換弁４５にて第三の低圧配管４３ｃへと流れる。
なお、第三バンク滅菌工程において、滅菌液が図４（ｃ）に示すように各流路等を流れるように、予め切換弁４１、２９、３０、３３、４５、４７の弁の向きを設定しておく。また、バルブ４４を閉じておく。
【００５０】
第三バンク１３ｃを滅菌する際は、排出調整機構４３の第三の低圧配管４３ｃを通過する滅菌液中の塩素濃度（残留塩素濃度）を残留塩素計４６にて測定して監視することが好ましい。排出調整機構４３の第三の低圧配管４３ｃを通過する洗浄液から残留塩素濃度が検出されれば、第三バンク１３ｃの滅菌が完了したと判断する。
【００５１】
＜作用効果＞
以上説明した本実施形態の水処理システム１０は、各バンク１３に循環流路２０が設けられている。上述したように、バンク１３毎にＲＯ膜１４の汚染状態は異なるが、本実施形態の水処理システム１０であればバンク１３毎にＲＯ膜１４を洗浄できるので、汚染状態に応じて洗浄時間等を調節でき、効率よく全てのバンク１３を洗浄できる。特に、濃縮が進行している下流側のバンク１３から１つずつ洗浄することが可能であるため、洗浄の効果が見込め、薬液供給手段３６から洗浄液に薬液を添加する際に、バンク１３毎に使用する薬液の種類や添加量を変更でき、薬液の無駄を省ける。
また、各循環流路２０において、必要以上に耐圧配管を使用する必要がないため、コストを抑えることができる。
【００５２】
また、例えば第三バンク１３ｃが、入口流量が最少濃縮水量を満たさないバンクである場合、第三バンク循環流路２０ｃを構成する配管（第三の濃縮水流路１８、主配管３２、および第二の共通配管２８）を耐圧配管にすれば、この第三バンク循環流路２０ｃを、水処理する際に第三バンク１３ｃから排出された濃縮水の一部を第三バンク１３ｃの入口へ返送することにも利用でき、第三バンク１３ｃの入口流量が最少濃縮水量を満たすように調節できる。
【００５３】
また、本実施形態の水処理システム１０は、各循環流路２０に滅菌液供給手段３９が設けられているので、バンク１３毎に滅菌することが可能となる。
バンク１３毎に滅菌できない場合、すなわち、第一バンク１３ａから排出された滅菌液を第二バンク１３ｂに供給し、第二バンク１３ｂから排出された滅菌液を第三バンク１３ｃへ供給して、第一バンク１３ａの滅菌に使用した滅菌液を第二バンク１３ｂおよび第三バンク１３ｃの滅菌にも使用する場合、第三バンク１３ｃの滅菌を十分に行うためには、滅菌液の塩素濃度を高くする必要がある。そのため、上流に位置するバンク１３ほど塩素濃度の高い滅菌液に曝され、ＲＯ膜が酸化劣化しやすくなる傾向にある。
バンク１３毎に滅菌できれば、各バンク１３に使用される滅菌液の塩素濃度は、１つのバンク１３を滅菌するのに十分な濃度であればよく、比較的塩素濃度の低い滅菌液を使用できる。よって、ＲＯ膜の酸化劣化を防止できる。
【００５４】
＜他の実施形態＞
本発明の水処理システムおよびその洗浄方法は、上述したものに限定されない。
上述した実施形態例では、第三バンク１３ｃ、第二バンク１３ｂ、第一バンク１３ａの順で各バンク１３のＲＯ膜１４を洗浄しているが、バンク１３の洗浄順は特に制限されず、第一バンク１３ａから順に洗浄してもよいし、第二バンク１３ｂを最初に洗浄してもよい。
【００５５】
また、上述した実施形態例では、バンク１３毎に排出調整機構４３の第二の低圧配管４３ｂから洗浄液を供給しているが、例えば洗浄液が第三バンク循環流路２０ｃの主配管３２から第二バンク循環流路２０ｂの主配管２７へと流れるように切換弁２９を切換えて、第三バンク１３ｃの洗浄に使用した洗浄液を引き続き第二バンク１３ｂの洗浄に使用してもよい。同様に、洗浄液が第二バンク循環流路２０ｂの主配管２７から第一バンク循環流路２０ａの主配管２１へと流れるように切換弁２３を切換えて、第二バンク１３ｂの洗浄に使用した洗浄液を引き続き第一バンク１３ａの洗浄に使用してもよい。
【００５６】
また、上述した実施形態例では、バンク１３毎にＲＯ膜１４を洗浄しているが、異なる循環流路２０に洗浄液を流すことによって全てのバンク１３を洗浄すれば、複数のバンク１３を連続して洗浄してもよい。例えば上述した第三バンク洗浄工程と同様にして第三バンク１３ｃのみを洗浄した後（図５（ａ））、図５（ｂ）に示すように第二バンク１３ｂと第三バンク１３ｃとを連続して洗浄し、さらに図５（ｃ）に示すように第一バンク１３ａと第二バンク１３ｂと第三バンク１３ｃとを連続して洗浄してもよい。すなわち、図５（ｂ）において、第二バンク１３ｂから排出された洗浄液を第二の共通配管２８へ流すことなく第三バンク１３ｃへ供給し、第二バンク１３ｂと第三バンク１３ｃとの間で洗浄液を循環させてもよい。同様に、図５（ｃ）において、第一バンク１３ａから排出された洗浄液を第一の共通配管２２へ流すことなく第二バンク１３ｂへ供給し、さらに第二バンク１３ｂから排出された洗浄液を第二の共通配管２８へ流すことなく第三バンク１３ｃへ供給し、第一バンク１３ａと第二バンク１３ｂと第三バンク１３ｃとの間で洗浄液を循環させてもよい。
なお、図５は図１を簡略化したものであり、水処理システム１０に備わる部材の一部を省略した。
【００５７】
また、水処理システム１０において循環流路２０が２つ以上であれば、１つのバンク１３に１つの循環流路２０が設けられている必要はなく、例えば図６に示すように、第一バンク１３ａと第二バンク１３ｂとで１つの循環流路２０を共有してもよい。以下、第一バンク１３ａと第二バンク１３ｂに設けられた１つの循環流路を第一−第二バンク循環流路２０ｄともいう。
第一−第二バンク循環流路２０ｄは、第二の共通配管２８と主配管４８とからなる。すなわち、第一−第二バンク循環流路２０ｄと第三バンク循環流路２０ｃは、第二の共通配管２８を共有している。
主配管４８と第二の共通配管２８とは、それぞれの一端が切換弁２９を介して接続されている。また、主配管４８の他端は、切換弁２４を介して供給水流路１５に合流している。
また、第一−第二バンク循環流路２０ｄの主配管４８には、ポンプ２６およびｐＨ計３５ｂが取り付けられている。
なお、図６は水処理システム１０を簡略化したものであり、水処理システム１０に備わる部材の一部を省略した。
【００５８】
図６に示す水処理システム１０を洗浄する場合、まず上述した第三バンク洗浄工程と同様にして第三バンク１３ｃのみを洗浄した後、第一バンク１３ａと第二バンク１３ｂとを連続して洗浄してもよいし、第三バンク１３ｃのみを洗浄した後、第一バンク１３ａと第二バンク１３ｂと第三バンク１３ｃとを連続して洗浄してもよい。また、第一バンク１３ａと第二バンク１３ｂとを連続して洗浄した後に第三バンク１３ｃのみを洗浄してもよい。
【００５９】
また、図１〜６に示す水処理システム１０は、第二バンク１３ｂを１つ備えるものであるが、第二バンク１３ｂは２つ以上であってもよい。ただし、第二バンク１３ｂを２つ以上備える場合、各第二バンク１３ｂは直列に配置されているものとする。また、第二バンク１３ｂはなくてもよい。
第二バンク１３ｂを２つ以上備える場合、１つの第二バンク１３ｂに１つの循環流路２０が設けられていてもよいし、複数の第二バンク１３ｂで１つの循環流路２０を共有してもよい。
【実施例】
【００６０】
以下、本発明を実施例により具体的に説明するが、本発明はこれらに限定されるものではない。
【００６１】
「実施例１」
図１に示す水処理システム１０を以下のようにして洗浄した。なお、水処理システム１０としては、予め水処理を４５００時間行ったものを用いた。
まず、ポンプ３４を作動させて、排出調整機構４３の第二の低圧配管４３ｂから洗浄液（塩素を含まない水）を第三バンク循環流路２０ｃへと供給した。
第三バンク循環流路２０ｃへ洗浄液が十分に供給されたのを確認し、排出調整機構４３の第二の低圧配管４３ｂからの洗浄液の供給を停止し、洗浄液を第三バンク１３ｃへ供給し、第三バンク１３ｃから排出された洗浄液を第三バンク１３ｃへ返送させ、洗浄液を循環させた（図３（ａ））。このとき、薬液供給手段３６から洗浄液に薬液（クエン酸）を添加しつつ、ｐＨ測定手段３５を通過する洗浄液のｐＨをｐＨ計３５ｂにて測定して監視し、ｐＨ測定手段３５を通過する洗浄液のｐＨが一定になるまで洗浄液の循環を実施し、第三バンク１３ｃを洗浄した。
次いで、洗浄液が第三バンク循環流路２０ｃの主配管３２から第二バンク循環流路２０ｂの主配管２７へと流れるように切換弁２９を切換え、ポンプ３４を停止し、ポンプ３１を作動させ、洗浄液を第二バンク１３ｂへ供給し、第二バンク１３ｂから排出された洗浄液を第二バンク１３ｂへ返送させ、洗浄液を循環させた（図３（ｂ））。このとき、薬液供給手段３６から洗浄液に薬液（クエン酸）を添加しつつ、第一の共通配管２２を通過する洗浄液のｐＨをｐＨ計３５ｂにて測定して監視し、第一の共通配管２２を通過する洗浄液のｐＨが一定になるまで洗浄液の循環を実施し、第二バンク１３ｂを洗浄した。
次いで、洗浄液が第二バンク循環流路２０ｂの主配管２７から第一バンク循環流路２０ａの主配管２１へと流れるように切換弁２３を切換え、ポンプ３１を停止し、ポンプ２６を作動させ、洗浄液を第一バンク１３ａへ供給し、第一バンク１３ａから排出された洗浄液を第一バンク１３ａへ返送させ、洗浄液を循環させた（図３（ｃ））。このとき、薬液供給手段３６から洗浄液に薬液（クエン酸）を添加しつつ、第一の共通配管２２を通過する洗浄液のｐＨをｐＨ計３５ｂにて測定して監視し、第一の共通配管２２を通過する洗浄液のｐＨが一定になるまで洗浄液の循環を実施し、第一バンク１３ａを洗浄した。
次いで、洗浄液が第二バンク循環流路２０ｂの主配管２７、第三バンク循環流路２０ｃの主配管３２および排出調整機構４３の第一の低圧配管４３ａへ流れるように、かつ主配管２１および第二の共通配管２８へ流れないように切換弁２３、２９、３３をそれぞれ切換えた。また、第一の低圧配管４３ａのバルブ４４を開けた。そして、第一の共通配管２２を通過した洗浄液を第二バンク循環流路２０ｂの主配管２７、第三バンク循環流路２０ｃの主配管３２、排出調整機構４３の第一の低圧配管４３ａの順に流して、第一バンク循環流路２０ａの洗浄液を第三バンク循環流路２０ｃの主配管３２を経て排出した。
【００６２】
次いで、ポンプ２６を作動させて、滅菌液供給手段３９Ａの滅菌液流路３９ｂから滅菌液（塩素を含む水）を第一バンク循環流路２０ａの主配管２１を介して第一バンク１３ａの各ベッセルの入口へ供給した。第一バンク１３ａから排出された滅菌液は、第一の共通配管２２を通過した後、切換弁２３にて第二バンク循環流路２０ｂに設けられた滅菌液供給手段３９Ｂへと移動し、一方の滅菌液流路３９ｂ１および他方の滅菌液流路３９ｂ２へと順に導かれ、排出調整機構４３の第三の低圧配管４３ｃへと流れた。このとき、排出調整機構４３の第三の低圧配管４３ｃを通過する滅菌液中の塩素濃度を残留塩素計４６にて測定して監視し、残留塩素濃度が検出されるまで第一バンク１３ａへ滅菌液を供給した（図４（ａ））。
次いで、ポンプ２６を停止し、ポンプ３１を作動させて、滅菌液供給手段３９Ｂの滅菌液流路３９ｂ（一方の滅菌液流路３９ｂ１）から滅菌液（塩素を含む水）を第二バンク循環流路２０ｂの第一の共通配管２２を介して第二バンク１３ｂの各ベッセルの入口へ供給した。第二バンク１３ｂから排出された滅菌液は、第二の共通配管２８を通過した後、切換弁２９にて第三バンク循環流路２０ｃに設けられた滅菌液供給手段３９Ｃへと移動し、一方の滅菌液流路３９ｂ１および他方の滅菌液流路３９ｂ２へと順に導かれ、排出調整機構４３の第三の低圧配管４３ｃへと流れた。このとき、排出調整機構４３の第三の低圧配管４３ｃを通過する滅菌液中の塩素濃度を残留塩素計４６にて測定して監視し、残留塩素濃度が検出されるまで第二バンク１３ｂへ滅菌液を供給した（図４（ｂ））。
次いで、ポンプ３１を停止し、ポンプ３４を作動させて、滅菌液供給手段３９Ｃの滅菌液流路３９ｂ（一方の滅菌液流路３９ｂ１）から滅菌液（塩素を含む水）を第三バンク循環流路２０ｃの第二の共通配管２８を介して第三バンク１３ｃのベッセルの入口へ供給した。第三バンク１３ｃから排出された滅菌液は、第三の濃縮水流路１８を通過した後、切換弁３３にて排出調整機構４３の第二の低圧配管４３ｂへと移動し、切換弁４５にて第三の低圧配管４３ｃへと流れた。このとき、排出調整機構４３の第三の低圧配管４３ｃを通過する滅菌液中の塩素濃度を残留塩素計４６にて測定して監視し、残留塩素濃度が検出されるまで第三バンク１３ｃへ滅菌液を供給した（図４（ｃ））。
【００６３】
実施例１の場合、効率よく全てのバンク１３を洗浄できた。また、各循環流路２０において、必要以上に耐圧配管を使用する必要がないため、コストを抑えることができた。加えて、バンク１３毎に滅菌したので、ＲＯ膜の酸化劣化を防止できた。
【００６４】
「実施例２」
図１に示す水処理システム１０を以下のようにして洗浄した。なお、水処理システム１０としては、予め水処理を４５００時間行ったものを用いた。
まず、実施例１と同様にして第三バンク１３ｃを洗浄した（図５（ａ））。
次いで、洗浄液が第三バンク循環流路２０ｃの主配管３２から第二バンク循環流路２０ｂの主配管２７へと流れるように切換弁２９を切換え、ポンプ３４を停止し、ポンプ３１を作動させ、洗浄液を第二バンク１３ｂへ供給し、第二バンク１３ｂから排出された洗浄液を第二の濃縮水流路１７を介して第三バンク１３ｃへと供給し、第三バンク１３ｃから排出された洗浄液を第二バンク１３ｂへ返送させ、洗浄液を循環させた（図５（ｂ））。このとき、薬液供給手段３６から洗浄液に薬液（クエン酸）を添加しつつ、ｐＨ測定手段３５を通過する洗浄液のｐＨをｐＨ計３５ｂにて測定して監視し、ｐＨ測定手段３５を通過する洗浄液のｐＨが一定になるまで洗浄液の循環を実施し、第二バンク１３ｂと第三バンク１３ｃとを連続して洗浄した。
次いで、洗浄液が第二バンク循環流路２０ｂの主配管２７から第一バンク循環流路２０ａの主配管２１へと流れるように切換弁２３を切換え、ポンプ３１を停止し、ポンプ２６を作動させ、洗浄液を第一バンク１３ａへ供給し、第一バンク１３ａから排出された洗浄液を第一の濃縮水流路１６を介して第二バンク１３ｂへと供給し、さらに第二バンク１３ｂから排出された洗浄液を第二の濃縮水流路１７を介して第三バンク１３ｃへ供給し、第三バンク１３ｃから排出された洗浄液を第一バンク１３ａへ返送させ、洗浄液を循環させた（図５（ｃ））。このとき、薬液供給手段３６から洗浄液に薬液（クエン酸）を添加しつつ、ｐＨ測定手段３５を通過する洗浄液のｐＨをｐＨ計３５ｂにて測定して監視し、ｐＨ測定手段３５を通過する洗浄液のｐＨが一定になるまで洗浄液の循環を実施し、第一バンク１３ａと第二バンク１３ｂと第三バンク１３ｃとを連続して洗浄した。
次いで、洗浄液が排出調整機構４３の第一の低圧配管４３ａへ流れるように、かつ主配管３２へ流れないように切換弁３３を切換え、第三バンク循環流路２０ｃから洗浄液を排出した。
【００６５】
次いで、実施例１と同様にして、各バンク１３へ滅菌液を供給し、各バンク１３を滅菌した。
実施例２の場合、効率よく全てのバンク１３を洗浄できた。また、各循環流路２０において、必要以上に耐圧配管を使用する必要がないため、コストを抑えることができた。加えて、バンク１３毎に滅菌したので、ＲＯ膜の酸化劣化を防止できた。
【００６６】
「比較例１」
図７に示す水処理システム１０を以下のようにして洗浄した。なお、水処理システム１０としては、予め水処理を４５００時間行ったものを用いた。
まず、ポンプ２６を作動させて、排出調整機構４３の第二の低圧配管４３ｂから洗浄液（塩素を含まない水）を循環流路２０（全バンク循環流路２０ｅ）へと供給した。
全バンク循環流路２０ｅへ洗浄液が十分に供給されたのを確認し、排出調整機構４３の第二の低圧配管４３ｂからの洗浄液の供給を停止し、洗浄液を第一バンク１３ａへ供給し、第一バンク１３ａから排出された洗浄液を第一の濃縮水流路１６を介して第二バンク１３ｂへと供給し、さらに第二バンク１３ｂから排出された洗浄液を第二の濃縮水流路１７を介して第三バンク１３ｃへ供給し、第三バンク１３ｃから排出された洗浄液を第一バンク１３ａへ返送させ、洗浄液を循環させた。このとき、全バンク循環流路２０ｅの途中に設けられた薬液供給手段３６から洗浄液に薬液（クエン酸）を添加しつつ、ｐＨ測定手段３５を通過する洗浄液のｐＨをｐＨ計３５ｂにて測定して監視し、ｐＨ測定手段３５を通過する洗浄液のｐＨが一定になるまで洗浄液の循環を実施し、第一バンク１３ａと第二バンク１３ｂと第三バンク１３ｃとを連続して洗浄した。
次いで、洗浄液が排出調整機構４３の第一の低圧配管４３ａへ流れるように切換弁３３を切換え、全バンク循環流路２０ｅから洗浄液を排出した。
【００６７】
次いで、ポンプ２６を作動させて、滅菌液供給手段３９の滅菌液流路３９ｂから滅菌液（塩素を含む水）を、全バンク循環流路２０ｅを介して第一バンク１３ａに供給し、第一バンク１３ａから排出された滅菌液を第二バンク１３ｂに供給し、さらに第二バンク１３ｂから排出された滅菌液を第三バンク１３ｃへ供給して、各バンク１３を滅菌した。第三バンク１３ｃから排出された滅菌液は、切換弁３３にて排出調整機構４３の第二の低圧配管４３ｂへと移動し、切換弁４５にて第三の低圧配管４３ｃへと流れた。このとき、排出調整機構４３の第三の低圧配管４３ｃを通過する滅菌液中の塩素濃度を残留塩素計４６にて測定して監視し、残留塩素濃度が検出されるまで第一バンク１３ａへの滅菌液の供給を続け、各バンク１３を滅菌した。
【００６８】
比較例１の場合、一度に全てのバンク１３を洗浄したため、洗浄効率が実施例１、２に比べて悪かった。さらに、一度に全てのバンク１３を滅菌したため、実施例１、２に比べて塩素濃度の高い滅菌液を使用した。そのため、第一バンク１３ａのＲＯ膜１４が酸化劣化した。
【符号の説明】
【００６９】
１０  水処理システム
１２  ベッセル
１３  バンク
１３ａ  第一バンク
１３ｂ  第二バンク
１３ｃ  第三バンク
１４  逆浸透膜（ＲＯ膜）
２０  循環流路
２０ａ  第一バンク循環流路
２０ｂ  第二バンク循環流路
２０ｃ  第三バンク循環流路
２０ｄ  第一−第二バンク循環流路
２０ｅ  全バンク循環流路
３５  ｐＨ測定手段
３６  薬液供給手段
３９  滅菌液供給手段
３９Ａ  第一バンク循環流路に設けられた滅菌液供給手段
３９Ｂ  第二バンク循環流路に設けられた滅菌液供給手段
３９Ｃ  第三バンク循環流路に設けられた滅菌液供給手段
４３  排出調整機構
【図１】
2016221466.tif 000003
【図２】
2016221466.tif 000004
【図３】
2016221466.tif 000005
【図４】
2016221466.tif 000006
【図５】
2016221466.tif 000007
【図６】
2016221466.tif 000008
【図７】
2016221466.tif 000009